(57)【要約】【課題】深夜に周囲で突発的な騒音が発生した場合にもユーザーが自らリモコンを操作することなく番組内容を把握でき使い勝手の良い文字表示装置の提供を目的とする。【解決手段】映像音声信号から文字情報を生成する文字情報生成部と、時刻情報に基づいて音量レベルの大小を指示する音量レベル制御ユニットと、音量レベル制御ユニットの出力が所定値以下の音量レベルを指示する場合は文字表示のオンを、そうでない場合は文字表示のオフを指示する表示オンオフ制御ユニットと、表示オンオフ制御ユニットの出力が文字表示のオンを指示する場合は文字情報生成部の出力を通過させ、そうでない場合は文字情報生成部の出力を遮断させる表示ゲートと、表示ゲートの出力と映像音声信号の映像信号を合成する映像合成ユニットと、音量レベル制御ユニットの出力に基いて映像音声信号の音声信号の音量を調節する音量調節ユニットとを備える。【選択図】図２
2007150796.tif 000002
【特許請求の範囲】
【請求項１】
映像信号及び音声信号を含む映像音声信号から文字情報を生成する文字情報生成部と、
時刻情報に基づいて音量レベルの大小を指示する音量レベル制御ユニットと、
前記音量レベル制御ユニットの出力が所定値以下の音量レベルを指示する場合は文字表示をオンする指示を出力し前記所定値以下の音量レベルを指示しない場合は文字表示をオフする指示を出力する表示オンオフ制御ユニットと、
前記表示オンオフ制御ユニットの出力が、文字表示をオンする指示を出力する場合は前記文字情報生成部の出力を通過させ、文字表示をオフする指示を出力する場合は前記文字情報生成部の出力を遮断させる表示ゲートと、
前記表示ゲートの出力と前記映像音声信号の映像信号を合成する映像合成ユニットと、
前記音量レベル制御ユニットの出力に基いて前記映像音声信号の音声信号の音量を調節する音量調節ユニットと、
を有する文字表示装置。
【請求項２】
前記文字情報生成部は、
前記映像音声信号から符号化文字情報を抽出する文字信号受信ユニットと、
前記文字信号受信ユニットの出力を解読処理するデコーダユニットと、
を有することを特徴とする請求項１記載の文字表示装置。
【請求項３】
前記文字情報生成部は、
前記映像音声信号から音声信号を抽出し認識し文字化する音声認識ユニットを
有することを特徴とする請求項１記載の文字表示装置。
【請求項４】
前記時刻情報は、
前記映像音声信号から抽出することを特徴とする請求項１記載の文字表示装置。
【発明の詳細な説明】
【技術分野】
【０００１】
本発明は、テレビジョン受信機等に内蔵された文字表示装置に関するものである。
【背景技術】
【０００２】
テレビジョン受信機は、ユーザーがリモコンなどを介して操作することにより、音量調整が可能である。ユーザーは視聴時の環境音、周囲の騒音などに応じて最適な音量に調整し、テレビジョン放送の視聴を行う。
【０００３】
視聴時の環境音、周囲の騒音は、昼間は大きいが深夜は小さくなるなど時間帯に依存する傾向がある。そのため、テレビジョン受信機が時刻情報に基づき自動的に音量調整を行うことで、ユーザーの操作を軽減する提案がなされている（例えば、特許文献１参照。）。
【特許文献１】特開平３−２７６９１１号公報
【発明の開示】
【発明が解決しようとする課題】
【０００４】
しかしながら上記の従来の構成では、時刻情報に基づき自動的に音量調整を行うだけでは、必ずしもユーザーの希望する音量と一致しないことが考えられる。例えば、深夜にはテレビジョン受信機の音量が小さく調整されるが、周囲で突発的な騒音が発生した場合にはテレビジョン受信機の音声が聞き取れないため番組内容を把握することができず、ユーザーは番組内容を把握するために自らリモコンを操作し音量を大きく調整する必要があるという問題点を有していた。
【０００５】
本発明は上記従来の問題点を解決するもので、深夜に周囲で突発的な騒音が発生した場合にもユーザーが自らリモコンを操作することなく番組内容を把握することができ、使い勝手の良い文字表示装置を提供することを目的とする。
【課題を解決するための手段】
【０００６】
この目的を達成するために本発明の文字表示装置は、映像信号及び音声信号を含む映像音声信号から文字情報を生成する文字情報生成部と、時刻情報に基づいて音量レベルの大小を指示する音量レベル制御ユニットと、前記音量レベル制御ユニットの出力が所定値以下の音量レベルを指示する場合は文字表示をオンする指示を出力し前記所定値以下の音量レベルを指示しない場合は文字表示をオフする指示を出力する表示オンオフ制御ユニットと、前記表示オンオフ制御ユニットの出力が、文字表示をオンする指示を出力する場合は前記文字情報生成部の出力を通過させ、文字表示をオフする指示を出力する場合は前記文字情報生成部の出力を遮断させる表示ゲートと、前記表示ゲートの出力と前記映像音声信号の映像信号を合成する映像合成ユニットと、前記音量レベル制御ユニットの出力に基いて前記映像音声信号の音声信号の音量を調節する音量調節ユニットとを備えた構成を有している。
【０００７】
また、前記文字情報生成部は、前記映像音声信号から符号化文字情報を抽出する文字信号受信ユニットと、前記文字信号受信ユニットの出力を解読処理するデコーダユニットと、を有することを特徴とする構成を有している。
【０００８】
さらに、前記文字情報生成部は、前記映像音声信号から音声信号を抽出し認識し文字化する音声認識ユニットを有することを特徴とする構成を有している。
【０００９】
また、前記時刻情報は、前記映像音声信号から抽出することを特徴とする構成を有している。
【発明の効果】
【００１０】
以上のように本発明は、深夜に周囲で突発的な騒音が発生した場合にもユーザーが自らリモコンを操作することなく番組内容を把握することができ、使い勝手の良い文字表示装置を提供することができるという優れた効果が得られる。
【発明を実施するための最良の形態】
【００１１】
以下、図面を参照して本発明の実施の形態を説明する。
（実施の形態１）
図１は本発明の実施の形態１における文字表示装置の全体構成を示すブロック図である。図１において、アンテナ１０１で受信された放送波は、テレビジョン受信機１００のマイクロコントローラ１０８の制御によって、チューナ１０２で所望の放送局の周波数に選局され、映像信号および音声信号に検波される。チューナ１０２から出力される映像信号または音声信号を含む映像音声信号は文字情報生成部１０３に供給される。また、映像音声信号は音声信号処理部１０６、映像信号処理部１０４およびマイクロコントローラ１０８に供給される。ＲＡＭ１１０は、マイクロコントローラ１０８にて実行されるプログラムが各種処理のワークエリアとして使用する。ＲＯＭ１０９は、マイクロコントローラ１０８のプログラムおよび時間帯毎の音量レベル制御値を格納する記憶手段である。リモコン１１２は、ユーザーが各種操作を行う入力装置であり、赤外線受光部１１１を通してマイクロコントローラ１０８にコマンドが伝送される。
【００１２】
図２は本発明の実施の形態１における文字表示装置の主要構成を示すブロック図である。
チューナ１０２からの映像音声信号には時刻情報が多重されている。時刻情報はマイクロコントローラ１０８にて解読処理され時刻情報ユニット１０８１に格納される。時刻情報ユニット１０８１の出力は音量レベル制御ユニット１０８２に供給され時刻に依存して音量レベル制御値が定められる。
【００１３】
図３（ａ）は時刻情報と音量レベル制御値との関係を示す図である。例えば、０時から６時まで、および２２時から２４時までの時間帯では音量レベル制御値は最小レベルに設定される。６時から９時まで、および１９時から２２時までの時間帯では音量レベル制御値は中間レベルに設定される。６時から９時までの時間帯では音量レベル制御値は最大レベルに設定される。音量レベル制御ユニット１０８２の出力は音声信号処理部１０６内の音量調節ユニット１０６１を制御する。音量調節ユニット１０６１の出力はスピーカ１０７に接続される。これにより、音量を深夜は最小レベルに、昼間は最大レベルに設定することができる。音量レベル制御ユニット１０８２の出力は、また表示オンオフ制御ユニット１０８３に供給される。
【００１４】
図３（ｂ）は時刻情報と表示のオンオフとの関係を示す図である。音量レベル制御値が図３（ａ）の所定値以下の場合は表示をオンにする旨の信号を出力し、音量レベル制御値が所定値より大きい場合は表示をオフにする旨の信号を出力する。表示オンオフ制御ユニット１０８３の出力は映像信号処理部１０４内の表示ゲート１０４１を制御する。
【００１５】
字幕放送の場合には、映像信号には符号化された文字情報信号が多重されている。文字情報生成部１０３内の文字信号受信ユニット１０３１では映像音声信号から符号化文字情報を抽出する。デコーダユニット１０３２では文字信号受信ユニット１０３１の出力を解読処理し、文字情報として表示ゲート１０４１に供給する。表示オンオフ制御ユニット１０８３が表示をオンにする旨の信号を出力した場合には表示ゲート１０４１はデコーダユニット１０３２の出力を通過させ、表示をオフにする旨の信号を出力した場合には表示ゲート１０４１はデコーダユニット１０３２の出力を遮断する。映像信号処理部５内の映像合成ユニット１０４２ではチューナ１０２からの映像信号に表示ゲート１０４１の出力である文字情報を合成する。映像合成ユニット１０４２の出力は表示部１０５に供給され画面に表示される。
【００１６】
図４は、本発明の実施の形態１における文字表示装置の主要動作を示すフローチャートである。テレビジョン受信機１００に電源が投入されると（ステップＳ４０１）、マイクロコントローラ１０８はチューナ１０２から時刻情報を取得する（ステップＳ４０２）。音量レベル制御ユニット１０８２では時刻情報に基く音量レベル制御値を算出する（ステップＳ４０３）。音量調節ユニット１０６１では音量レベル制御値に基いて音量レベルを制御する（ステップＳ４０４）。表示オンオフ制御ユニット１０８３では音量レベル制御値が所定値以下か否かを判断しステップＳ４０５）、所定値以下の場合は表示ゲート１０４１を通過する様に設定し（ステップＳ４０６）、そうでない場合には表示ゲート１０４１を遮断する様に設定する（ステップＳ４０７）。
【００１７】
以上のように本発明は、時刻情報に基づき自動的に音量調整を行い、音量を小さく制御する場合には字幕表示をオン状態に制御することにより、深夜に周囲で突発的な騒音が発生した場合にもユーザーが自らリモコンを操作することなく番組内容を把握することができ、使い勝手の良い文字表示装置を提供することができる。
【００１８】
尚、以上の説明では字幕放送から文字情報を抽出することについて行ったが、音声信号から文字情報を抽出することも可能である。図５は文字情報生成部１０３として音声認識処理ユニット１０３３を設けたことを示す図である。これによりチューナ１０２からの音声信号から音声認識処理により文字情報を抽出することができる。
【００１９】
また、以上の説明では映像信号および音声信号はチューナ１０２の出力として説明したが、インターネットからダウンロードして得たものであっても良い。
【００２０】
また、以上の説明では時刻情報を放送波から取得することについて行ったが、インターネットから時刻情報を取得することも可能である。
【産業上の利用可能性】
【００２１】
本発明の文字表示装置は、時刻情報に基づき自動的に音量調整を行い、音量を小さく制御する場合には字幕表示をオン状態に制御することにより、深夜に周囲で突発的な騒音が発生した場合にもユーザーが自らリモコンを操作することなく番組内容を把握することができ、使い勝手の良い文字表示装置を提供することができる。
【図面の簡単な説明】
【００２２】
【図１】本発明の実施の形態１における文字表示装置の全体構成を示すブロック図
【図２】本発明の実施の形態１における文字表示装置の主要構成を示すブロック図
【図３】時刻情報と音量レベル制御値および表示のオンオフとの関係を示す図
【図４】本発明の実施の形態１における文字表示装置の主要動作を示すフローチャート
【図５】文字情報生成部として音声認識処理ユニットを設けた図
【符号の説明】
【００２３】
１００    テレビジョン受信機
１０１    アンテナ
１０２    チューナ
１０３    文字情報生成部
１０４    映像信号処理部
１０５    表示部
１０６    音声信号処理部
１０７    スピーカ
１０８    マイクロコントローラ
１０９    ＲＯＭ
１１０    ＲＡＭ
１１１    赤外線受光部
１１２    リモコン
１０３１    文字信号受信ユニット
１０３２    デコーダユニット
１０３３    音声認識処理ユニット
１０４１    表示ゲート
１０４２    映像合成ユニット
１０６１    音量調節ユニット
１０８１    時刻情報ユニット
１０８２    音量レベル制御ユニット
１０８３    表示オンオフユニット
【図１】
2007150796.tif 000003
【図２】
2007150796.tif 000004
【図３】
2007150796.tif 000005
【図４】
2007150796.tif 000006
【図５】
2007150796.tif 000007